(57)【特許請求の範囲】
【請求項１】
箱型の筐体の内部に、送風機と、当該送風機を囲む室内熱交換器と、当該室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す天井埋込型室内ユニットにおいて、
帯電微粒子水を含むミストを生成する静電霧化装置が前記ドレンパンの下方に設けられ、
前記静電霧化装置の空気の吸込み口は、前記室内熱交換器で囲まれた空間であるとともに前記送風機が収納される送風機室に開口し、前記静電霧化装置の空気の吹き出し口は、前記送風路に開口することを特徴とする天井埋込型室内ユニット。
【請求項２】
前記静電霧化装置は、前記ドレンパンを下方から覆う化粧パネルと前記ドレンパンとの間に配置されていることを特徴とする請求項１記載の天井埋込型室内ユニット。
【請求項３】
前記送風機に吸い込まれる空気を整流するベルマウスが前記吸込み通路に設けられ、当該ベルマウスは、前記送風機に吸い込まれる空気が通る中央吸込み口の外側に開口を備え、前記静電霧化装置の前記吸込み口は、前記開口に接続されていることを特徴とする請求項１または２記載の天井埋込型室内ユニット。
【請求項４】
前記ベルマウスは、前記ドレンパンの上面に沿うように枠状に形成されて略水平に延びる水平部と、当該水平部の内周部から曲面状に上方に立ち上がる前記中央吸込み口とを備え、前記開口は、前記水平部に設けられていることを特徴とする請求項３記載の天井埋込型室内ユニット。
【請求項５】
前記静電霧化装置は、前記ミストを生成する放電部及び前記吸込み口を備えた本体部と、前記吹き出し口を備えた吹き出し部とを備え、
前記ドレンパンは、前記室内熱交換器の下部を収容するとともに前記室内熱交換器のドレン水が流れる凹状のドレン水通路を備え、
前記静電霧化装置の前記本体部は、前記ドレン水通路よりも前記天井埋込型室内ユニットの中央側に設けられていることを特徴とする請求項１から４のいずれかに記載の天井埋込型室内ユニット。
【請求項６】
前記静電霧化装置の前記吹き出し部は、前記本体部から外側へ延出され、前記ドレン水通路の下方を通って前記吹き出し口が前記送風路に開口することを特徴とする請求項５記載の天井埋込型室内ユニット。
【請求項７】
前記ドレン水通路は、当該ドレン水通路の位置が最も高くなる最高地点と、当該ドレン水通路の位置が最も低くなる最低地点とを備え、前記最低地点にはドレン水を排出するドレンポンプが設けられ、
前記ドレン水通路は、前記最高地点から前記最低地点まで下る第１の通路と、当該第１の通路よりも緩い傾斜且つ当該第１の通路よりも長い経路で前記最高地点から前記最低地点まで下る第２の通路とを備え、
前記吹き出し部は、前記第２の通路の下方を通って前記送風路に開口することを特徴とする請求項６記載の天井埋込型室内ユニット。
【発明の詳細な説明】
【技術分野】
【０００１】
本発明は、天井埋込型室内ユニットに関する。
【背景技術】
【０００２】
従来、天井埋込型室内ユニットにおいて、除菌機能を発生させる装置の電解ユニットを筐体の外側面に設け、空気と接触して除菌するエレメントを、室内熱交換器の下流の流路に設けたものが知られている（例えば、特許文献１参照）。
【先行技術文献】
【特許文献】
【０００３】
【特許文献１】特開２００８−２３２５４９号公報
【発明の概要】
【発明が解決しようとする課題】
【０００４】
ところで、上記従来のように除菌機能を発生させる装置を備えた天井埋込型室内ユニットでは、効果的に除菌できるとともに、除菌機能を発生させる装置をコンパクトに配置できるようにすることが望まれる。
本発明は、上述した事情に鑑みてなされたものであり、天井埋込型室内ユニットにおいて、効果的に除菌できるとともに、除菌機能を発生させる装置をコンパクトに配置できるようにすることを目的とする。
【課題を解決するための手段】
【０００５】
上記目的を達成するため、本発明は、箱型の筐体の内部に、送風機と、当該送風機を囲む室内熱交換器と、当該室内熱交換器を下方から覆うドレンパンとを備え、前記ドレンパンの中央の吸込み通路から吸い込んだ空気を前記室内熱交換器で熱交換し、前記室内熱交換器の下流の送風路を通して吹き出す天井埋込型室内ユニットにおいて、帯電微粒子水を含むミストを生成する静電霧化装置が前記ドレンパンの下方に設けられ、前記静電霧化装置の空気の吸込み口は、前記室内熱交換器で囲まれた空間であるとともに前記送風機が収納される送風機室に開口し、前記静電霧化装置の空気の吹き出し口は、前記送風路に開口することを特徴とする。
【０００６】
また、本発明は、前記静電霧化装置は、前記ドレンパンを下方から覆う化粧パネルと前記ドレンパンとの間に配置されていることを特徴とする。
また、本発明は、前記送風機に吸い込まれる空気を整流するベルマウスが前記吸込み通路に設けられ、当該ベルマウスは、前記送風機に吸い込まれる空気が通る中央吸込み口の外側に開口を備え、前記静電霧化装置の前記吸込み口は、前記開口に接続されていることを特徴とする。
さらに、本発明は、前記ベルマウスは、前記ドレンパンの上面に沿うように枠状に形成されて略水平に延びる水平部と、当該水平部の内周部から曲面状に上方に立ち上がる前記中央吸込み口とを備え、前記開口は、前記水平部に設けられていることを特徴とする。
【０００７】
また、本発明は、前記静電霧化装置は、前記ミストを生成する放電部及び前記吸込み口を備えた本体部と、前記吹き出し口を備えた吹き出し部とを備え、前記ドレンパンは、前記室内熱交換器の下部を収容するとともに前記室内熱交換器のドレン水が流れる凹状のドレン水通路を備え、前記静電霧化装置の前記本体部は、前記ドレン水通路よりも前記天井埋込型室内ユニットの中央側に設けられていることを特徴とする。
また、本発明は、前記静電霧化装置の前記吹き出し部は、前記本体部から外側へ延出され、前記ドレン水通路の下方を通って前記吹き出し口が前記送風路に開口することを特徴とする。
また、本発明は、前記ドレン水通路は、当該ドレン水通路の位置が最も高くなる最高地点と、当該ドレン水通路の位置が最も低くなる最低地点とを備え、前記最低地点にはドレン水を排出するドレンポンプが設けられ、前記ドレン水通路は、前記最高地点から前記最低地点まで下る第１の通路と、当該第１の通路よりも緩い傾斜且つ当該第１の通路よりも長い経路で前記最高地点から前記最低地点まで下る第２の通路とを備え、前記吹き出し部は、前記第２の通路の下方を通って前記送風路に開口することを特徴とする。
【発明の効果】
【０００８】
本発明の天井埋込型室内ユニットによれば、帯電微粒子水を含むミストを生成する静電霧化装置がドレンパンの下方に設けられ、静電霧化装置の空気の吸込み口は、室内熱交換器で囲まれた空間であるとともに送風機が収納される送風機室に開口し、静電霧化装置の空気の吹き出し口は、送風路に開口する。これにより、静電霧化装置をドレンパンの下方の空間を利用してコンパクトに設けることができるとともに、送風機室の空気を送風機の送風力によって静電霧化装置の吸込み口に効率良く吸い込ませることができ、この吸い込まれた空気に帯電微粒子水を含むミストを混合し、静電霧化装置の吹き出し口から送風路にミストを含む空気を放出でき、送風路から送風される空気に乗せてミストを室内へ効果的に行き渡らせることができる。このため、静電霧化装置をコンパクトに配置できるとともに、静電霧化装置によって空気を効果的に除菌できる。
【図面の簡単な説明】
【０００９】
【図１】本発明の実施の形態に係る空気調和装置の天井埋込型室内ユニットの内部構造を示す断面図である。
【図２】天井埋込型室内ユニットの斜視図である。
【図３】化粧パネルを取り外した状態で天井埋込型室内ユニットを下方側から見た平面図である。
【図４】図３のＩＶ−ＩＶ断面図である。
【図５】図３のＶ−Ｖ断面図である。
【発明を実施するための形態】
【００１０】
以下、本発明の一実施の形態を、図面を参照して説明する。
図１は、本発明の実施の形態に係る空気調和装置の天井埋込型室内ユニット１０の内部構造を示す断面図である。図２は、天井埋込型室内ユニット１０の斜視図である。
なお、以下の説明において、上下、内外とは、天井に設置された天井埋込型室内ユニット１０を基準として説明している。また、空調後の空気が吹き出される空間を被調和室としている。
【００１１】
天井埋込型室内ユニット１０は、建屋の天井１１と天井１１の下方に設置された天井板１２との間の天井空間１３に設置される。天井埋込型室内ユニット１０は、室内ユニット本体１４と、室内ユニット本体１４の下側開口を覆う化粧パネル３０とを備えている。
室内ユニット本体１４は、下面の略全面が開口した略箱型の筐体１５を備える。室内ユニット本体１４は、筐体１５の内部に、発泡スチロール製の断熱部材１６と、室内熱交換器１７と、送風機１８と、室内熱交換器１７のドレン水を受けるドレンパン１９と、送風機１８に吸い込まれる空気を整流するベルマウス２０とを備える。
筐体１５の外側面の角部には、吊り用金具２１が取り付けられている。室内ユニット本体１４は、天井１１から垂れ下がる吊りボルト２２に吊り用金具２１が連結されることで、天井１１から吊り下げられた状態で設置される。
【００１２】
化粧パネル３０は、室内ユニット本体１４の下面の開口を覆うように平面視で略四角形の板状に形成されている。
化粧パネル３０の中央部分には、ベルマウス２０に連通するパネル側吸い込み口３１が形成されている。化粧パネル３０には、パネル側吸い込み口３１を覆う吸い込みグリル３２が着脱可能に取り付けられている。吸い込みグリル３２の室内ユニット本体１４側には、空気中の塵などを除去するためのフィルタ３３が設けられている。
【００１３】
化粧パネル３０のパネル側吸い込み口３１の外側であって化粧パネル３０の外周部の各辺に沿った位置には、空調後の空気を被調和室に送るパネル側吹出口３４がそれぞれ形成されている。すなわち、パネル側吹出口３４は、平面視で略四角形の化粧パネル３０の各辺に沿うように設けられており、パネル側吹出口３４から４方向に空気が吹き出される。
パネル側吹出口３４には、吹出方向を調整可能なフラップ３５（図２）がそれぞれ設けられている。
【００１４】
図３は、化粧パネル３０を取り外した状態で天井埋込型室内ユニット１０を下方側から見た平面図である。図４は、図３のＩＶ−ＩＶ断面図である。
断熱部材１６は、筐体１５の側板１５ａ及び天板１５ｂの内面に設けられており、筐体１５における結露の発生を防止する。
【００１５】
送風機１８は、ファンモータ２３と、遠心ファン２４とを備えて構成される。ファンモータ２３は、下方に延びる回転軸２３ａを備え、遠心ファン２４は、回転軸２３ａに固定される。ファンモータ２３は、平面視において天井埋込型室内ユニット１０の略中央に配置され、筐体１５の天板１５ｂに固定されている。
遠心ファン２４は、回転軸２３ａに固定される円板状の主板２４ａと、主板２４ａの下方で主板２４ａと略同軸に配置される環状のシュラウド２４ｂと、シュラウド２４ｂと主板２４ａとを連結する複数の翼２４ｃとを備える。翼２４ｃは、主板２４ａの周方向に互いに間隔をあけて複数配置される。
【００１６】
室内熱交換器１７は、送風機１８の略全体を側方から囲うように、板状の熱交換器を平面視で略四角形状に折り曲げるようにして形成されている。
室内熱交換器１７は、冷房運転時には冷媒の蒸発器として機能し、暖房運転時には冷媒の蒸発器として機能する。室内熱交換器１７は、室内ユニット本体１４の内部に吸い込まれる室内の空気と冷媒との熱交換を行って、冷房運転時には空調室内の空気を冷却し、暖房運転時には室内の空気を加熱することができるように構成されている。
【００１７】
ドレンパン１９は、室内熱交換器１７で発生するドレン水を受けることができるように、室内熱交換器１７の下方に配置される。ドレンパン１９は発泡スチロール製である。
ドレンパン１９は、筐体１５の下面の開口の略全体を塞ぐように略矩形の板状に形成されている。ドレンパン１９は、平面視において中央部に、送風機１８に吸い込まれる空気が通るドレンパン側吸込み口２５（吸込み通路）を備える。また、ドレンパン１９は、ドレンパン側吸込み口２５の外側で、各パネル側吹出口３４に重なる位置に、被調和室へ吹き出される空気が通るドレンパン側吹出口２６を備える。ドレンパン側吹出口２６は、筐体１５の側板１５ａに沿って延びる長方形状に形成されている。
【００１８】
さらに、ドレンパン１９は、室内熱交換器１７の下端部が収容される凹状の熱交換器収容部２７を備える。熱交換器収容部２７は、ドレンパン側吹出口２６とドレンパン側吸込み口２５との間に形成されており、ドレンパン１９の外周部に沿って一周する水路状に形成されている。
熱交換器収容部２７は、室内熱交換器１７の内周部の下面に当接する受け面部２７ａと、受け面部２７ａの外側で受け面部２７ａよりも一段低く形成されたドレン水通路２７ｂとを備える。ドレン水通路２７ｂは、室内熱交換器１７の外周部の下面の下方に位置する。
天井埋込型室内ユニット１０は、ドレン水通路２７ｂ上に、ドレン水を排出するドレンポンプ２８を備える。
【００１９】
ドレン水通路２７ｂは、平面視では、室内熱交換器１７の下面に沿う四角形状に形成されている。ドレン水通路２７ｂは、その４つの角部の内の１か所に、ドレン水通路２７ｂの位置が最も高くなる最高地点２９Ｈを備える。また、ドレン水通路２７ｂは、最高地点２９ｈを備えた角部の隣の１か所の角部に、ドレン水通路２７ｂの位置が最も低くなる最低地点２９Ｌを備える。ドレンポンプ２８の吸い込み口は、最低地点２９Ｌに配置されている。
【００２０】
ドレン水通路２７ｂは、最高地点２９Ｈから隣の角部である最低地点２９Ｌまで下る第１の通路４１と、最高地点２９Ｈから他の２箇所の角部を経て最低地点２９Ｌまで下る第２の通路４２とを備える。
第２の通路４２は、第１の通路４１よりも緩い傾斜且つ第１の通路４１よりも長い経路で最高地点２９Ｈから最低地点２９Ｌまで下る。
ドレン水は、図３に破線の矢印で示されるように、第１の通路４１及び第２の通路４２をそれぞれ通って高い位置から最低地点２９Ｌのドレンポンプ２８まで流れ、ドレンポンプ２８に吸い出されて外部に排出される。
【００２１】
ベルマウス２０は、内部に空気が通る筒状に形成されている。ベルマウス２０は、ドレンパン１９のドレンパン側吸込み口２５の上面に沿うように枠状に形成されて略水平に延びる水平部２０ａと、水平部２０ａの内周部から曲面状に上方に立ち上がる筒状の中央吸込み口２０ｂとを備える。ベルマウス２０は、ドレンパン１９よりも強度が高い樹脂で形成されている。
ベルマウス２０は、ドレンパン１９の中央のドレンパン側吸込み口２５に水平部２０ａが嵌合され、ドレンパン１９に支持される。
【００２２】
室内熱交換器１７、ドレンパン１９及びベルマウス２０で囲まれることで、筐体１５の内側には、送風機１８が収納される送風機室４３が形成される。また、室内熱交換器１７の外側面と筐体１５の側板１５ａの断熱部材１６との間には、室内熱交換器１７で熱交換された後の空気が通る送風路４４が形成されている。
天井埋込型室内ユニット１０が運転されると、送風機１８の回転によって、被調和室の空気がパネル側吸い込み口３１（図１）からベルマウス２０を経て送風機室４３に吸い込まれる。次いで、送風機室４３の空気は、送風機１８によって外側に送風され、室内熱交換器１７を通過する際に熱交換されて送風路４４に流れ、パネル側吹出口３４（図１）から被調和室に吹き出される。ドレンパン側吹出口２６は、送風路４４の一部を構成している。
【００２３】
天井埋込型室内ユニット１０は、天井埋込型室内ユニット１０の制御基板４５等を収納する電装箱４６を備える。電装箱４６は、平面視では、長方形状に形成されている。
電装箱４６は、ベルマウス２０の下面に取り付けられる。詳細には、電装箱４６は、ベルマウス２０の中央吸込み口２０ｂの外側方で、水平部２０ａの下面に取り付けられる。電装箱４６は、その長手方向が、長方形状のドレンパン側吹出口２６に沿うように、ドレンパン側吹出口２６と略平行に配置されている。また、電装箱４６は、平面視において、第１の通路４１よりも室内ユニット本体１４の内側で、第１の通路４１に沿うように配置されている。
【００２４】
電装箱４６は、長手方向の一端部４６ａがドレン水通路２７ｂの最高地点２９Ｈの下方に位置しており、平面視では、最高地点２９Ｈに重なっている。詳細には、ドレンパン１９において電装箱４６が配置される部分は、電装箱４６の収納空間を確保するために、その下面を上方に窪ませて形成されている。このため、この部分では、ドレンパン１９の板厚を確保することが難しくなるが、本実施の形態では、電装箱４６の収納空間の上方をドレン水通路２７ｂの最高地点２９Ｈにしたため、ドレンパン１９の板厚を十分に確保できている。
【００２５】
図５は、図３のＶ−Ｖ断面図である。
図４及び図５に示すように、ドレンパン１９は、熱交換器収容部２７及びドレンパン側吹出口２６が設けられる枠状のドレンパン本体部４８と、ドレンパン本体部４８の内周部の上部から中央のベルマウス２０側に延びる薄板状のベルマウス支持部４９とを備える。
ベルマウス支持部４９の板厚は、ドレンパン本体部４８の板厚よりも小さく形成されている。ドレンパン側吸込み口２５は、ベルマウス支持部４９の内周部が形成する開口部である。ドレンパン本体部４８の上面とベルマウス支持部４９の上面とは略面一に形成されており、ベルマウス支持部４９が薄板状であるため、ドレンパン本体部４８の内側方でベルマウス支持部４９の下方には、空間Ｋが形成されている。
【００２６】
ベルマウス２０の水平部２０ａは、ドレンパン１９のベルマウス支持部４９の上面と略面一な面一部５０と、面一部５０の外側に位置し、ベルマウス支持部４９の下面を下方から覆う取付部５１とを備える。取付部５１は、ベルマウス支持部４９の下面に取り付けられる。
面一部５０は、下方に突出する筒状部を備え、この筒状部の内周部は、送風機室４３と空間Ｋとを連通させる開口５２となっている。
【００２７】
図３〜図５に示すように、室内ユニット本体１４は、ドレンパン１９の下方に、静電霧化装置６０を備える。静電霧化装置６０は、帯電微粒子水を含むミストを発生させることで、空気中のウイルス、カビ、アレルギーの原因となる物質、及び、菌等を抑制したり、空気を脱臭したりすることができる。帯電微粒子水は、除菌作用や脱臭作用などを発揮するラジカル等の有効成分を含んでいる。
静電霧化装置６０は、供給される水分に放電して帯電微粒子水を含むミストを生成する放電部６１と、放電部６１に印加する高電圧を発生させる電源回路（不図示）と、放電部６１及び上記電源回路等を収納する箱型のケース６２（本体部）と、ケース６２内に吸い込んだ空気を排出する吹き出し部６３とを備える。
【００２８】
ケース６２の上面には、ケース６２内への空気の吸込み口６４が設けられている。吸込み口６４は、上方に延びる管状に形成されており、ベルマウス２０の面一部５０の開口５２に接続される。
静電霧化装置６０は、ドレンパン１９の下方で化粧パネル３０の上方に配置される。すなわち、静電霧化装置６０は、ドレンパン１９と化粧パネル３０との間の空間に配置される。
詳細には、静電霧化装置６０のケース６２は、ベルマウス支持部４９の下方且つドレンパン本体部４８の内側方に位置し、空間Ｋに配置されている。
静電霧化装置６０の吹き出し部６３は、ケース６２の外側面部から外側に延びるチューブ状に形成されている。吹き出し部６３の外端部には、送風路４４に開口する吹き出し口６３ａが形成されている。
【００２９】
ドレンパン本体部４８は、ドレン水通路２７ｂの第２の通路４２に略直角に交差する溝部４８ａを下面に備え、静電霧化装置６０の吹き出し部６３は、溝部４８ａを通って送風路４４に引き出される。このように、第１の通路４１よりも緩い傾斜の第２の通路４２の下方に吹き出し部６３を通すため、ドレン水通路２７ｂが吹き出し部６３の配置の邪魔になり難い。このため、吹き出し部６３を通すのに十分な深さの溝部４８ａを設けることができる。
吹き出し口６３ａは、ドレンパン側吹出口２６の下部に開口している。吹き出し部６３は、図５の側面視では、ケース６２側の出口から吹き出し口６３ａまで下るように配置されている。
【００３０】
送風機１８により送風される空気は、図５の矢印のように流れる。送風機１８によって送風機室４３に吸い込まれた空気の大部分は、室内熱交換器１７を通り、室内熱交換器１７で熱交換され、送風路４４及びパネル側吹出口３４を通って、被調和室に吹き出される。本実施の形態では、ベルマウス２０の水平部２０ａの面一部５０が、ドレンパン１９のベルマウス支持部４９に略面一であるため、ベルマウス２０の中央吸込み口２０ｂに沿って室内熱交換器１７に流れる空気をスムーズに流すことができ、効率良く熱交換することができる。また、ベルマウス２０の中央吸込み口２０ｂに沿う空気を、面一部５０の開口５２に効率良く流すことができる。
送風機室４３の空気の一部は、送風機１８に押されるようにしてベルマウス２０の開口５２に流れ、吸込み口６４から静電霧化装置６０のケース６２内に入り、ケース６２内で帯電微粒子水を含むミストが混ざる。このミストが混ざった空気は、送風機１８の送風力によって吹き出し部６３に流され、吹き出し口６３ａから送風路４４を流れる空気に合流する。このように、送風路４４を流れる空気に、送風機１８の送風力によってミストが混ざった空気を混ぜることができるため、ミストを含む空気を被調和室に効率良く行き渡らせることができる。
【００３１】
また、静電霧化装置６０のケース６２がドレンパン１９の下方の空間Ｋに配置されるため、空いたスペースを有効利用して静電霧化装置６０をコンパクトに設けることができる。さらに、静電霧化装置６０は、ベルマウス２０の中央吸込み口２０ｂの外側で空間Ｋに位置するため、中央吸込み口２０ｂを通って送風機室４３に吸い込まれる空気の流れをほとんど妨げない。このため、静電霧化装置６０をコンパクトに配置しながら、送風機室４３に効率良く空気を吸い込むことができる。
また、静電霧化装置６０が化粧パネル３０で覆われるため、静電霧化装置６０を簡単な構造で被調和室側から隠すことができる。
【００３２】
以上説明したように、本発明を適用した実施の形態によれば、天井埋込型室内ユニット１０は、箱型の筐体１５の内部に、送風機１８と、送風機１８を囲む室内熱交換器１７と、室内熱交換器１７を下方から覆うドレンパン１９とを備え、ドレンパン１９の中央のドレンパン側吸込み口２５から吸い込んだ空気を室内熱交換器１７で熱交換し、室内熱交換器１７の下流の送風路４４を通して吹き出し、帯電微粒子水を含むミストを生成する静電霧化装置６０がドレンパン１９の下方に設けられ、静電霧化装置６０の空気の吸込み口６４は、室内熱交換器１７で囲まれた空間であるとともに送風機１８が収納される送風機室４３に開口し、静電霧化装置６０の空気の吹き出し口６３ａは、送風路４４に開口する。これにより、静電霧化装置６０をドレンパン１９の下方の空間を利用してコンパクトに設けることができるとともに、送風機室４３の空気を送風機１８の送風力によって静電霧化装置６０の吸込み口６４に効率良く吸い込ませることができ、この吸い込まれた空気に帯電微粒子水を含むミストを混合し、静電霧化装置６０の吹き出し口６３ａから送風路４４にミストを含む空気を放出でき、送風路４４から送風される空気に乗せてミストを被調和室内へ効果的に行き渡らせることができる。このため、静電霧化装置６０をコンパクトに配置できるとともに、静電霧化装置６０によって空気を効果的に除菌できる。
【００３３】
また、本発明は、静電霧化装置６０は、ドレンパン１９を下方から覆う化粧パネル３０とドレンパン１９との間に配置されているため、化粧パネル３０とドレンパン１９との間の空間を有効利用して静電霧化装置６０をコンパクトに配置できるとともに、化粧パネル３０によって静電霧化装置６０を隠すことができる。
また、送風機１８に吸い込まれる空気を整流するベルマウス２０がドレンパン側吸込み口２５に設けられ、ベルマウス２０は、送風機１８に吸い込まれる空気が通る中央吸込み口２０ｂの外側に開口５２を備え、静電霧化装置６０の吸込み口６４は、開口５２に接続されている。これにより、ベルマウス２０に沿うように流れる空気を静電霧化装置６０の吸込み口６４に効率良く吸い込ませることができ、多くの空気にミストを含ませることができる。
【００３４】
さらに、ベルマウス２０は、ドレンパン１９の上面に沿うように枠状に形成されて略水平に延びる水平部２０ａと、水平部２０ａの内周部から曲面状に上方に立ち上がる中央吸込み口２０ｂとを備え、開口５２は、水平部２０ａに設けられている。これにより、曲面状に上方に立ち上がる中央吸込み口２０ｂに沿って水平部２０ａに流れる空気を、水平部２０ａの開口から吸込み口６４に効率良く吸い込ませることができる。
また、静電霧化装置６０は、ミストを生成する放電部６１及び吸込み口６４を備えたケース６２と、吹き出し口６３ａを備えた吹き出し部６３とを備え、ドレンパン１９は、室内熱交換器１７の下部を収容するとともに室内熱交換器１７のドレン水が流れる凹状のドレン水通路２７ｂを備え、静電霧化装置６０のケース６２は、ドレン水通路２７ｂよりも天井埋込型室内ユニット１０の中央側に設けられている。このため、静電霧化装置６０のケース６２をドレン水通路２７ｂよりも天井埋込型室内ユニット１０の中央側でドレンパン１９の下方の空きスペースを利用して配置でき、静電霧化装置６０をコンパクトに設けることができる。
【００３５】
また、静電霧化装置６０の吹き出し部６３は、ケース６２から外側へ延出され、ドレン水通路２７ｂの下方を通って吹き出し口６３ａが送風路４４に開口するため、簡単な構成で静電霧化装置６０の吹き出し口６３ａを送風路４４に開口させることができる。
また、ドレン水通路２７ｂは、ドレン水通路２７ｂの位置が最も高くなる最高地点２９Ｈと、ドレン水通路２７ｂの位置が最も低くなる最低地点２９Ｌとを備え、最低地点２９Ｌにはドレン水を排出するドレンポンプ２８が設けられ、ドレン水通路２７ｂは、最高地点２９Ｈから最低地点２９Ｌまで下る第１の通路４１と、第１の通路４１よりも緩い傾斜且つ第１の通路４１よりも長い経路で最高地点２９Ｈから最低地点２９Ｌまで下る第２の通路４２とを備え、吹き出し部６３は、第２の通路４２の下方を通って送風路４４に開口する。これにより、第１の通路４１よりも緩い傾斜の第２の通路４２では、ドレン水通路２７ｂの深さが浅くなり、ドレン水通路２７ｂの底部の厚さを確保し易いため、吹き出し部６３を第２の通路４２の下方に容易に通すことができる。
【００３６】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００３７】
１０  天井埋込型室内ユニット
１５  筐体
１７  室内熱交換器
１８  送風機
１９  ドレンパン
２０  ベルマウス
２０ａ  水平部
２０ｂ  中央吸込み口
２５  ドレンパン側吸込み口（吸込み通路）
２７ｂ  ドレン水通路
２８  ドレンポンプ
３０  化粧パネル
４１  第１の通路
４２  第２の通路
４３  送風機室
４４  送風路
５２  開口
６０  静電霧化装置
６１  放電部
６２  ケース（本体部）
６３  吹き出し部
６３ａ  吹き出し口
６４  吸込み口
２９Ｈ  最高地点
２９Ｌ  最低地点
【図１】
0006579517.tif 000002
【図２】
0006579517.tif 000003
【図３】
0006579517.tif 000004
【図４】
0006579517.tif 000005
【図５】
0006579517.tif 000006